(57)【要約】【課題】同一の撮影装置で吸収像撮影と位相像撮影を連続的に行うことができ、従来よりも設置スペースが小さく、操作が簡便で、複雑な制御手段を要しないＸ線画像撮影装置およびＸ線画像撮影システムを提供する。【解決手段】Ｘ線源から照射されるＸ線を吸収像と位相像のＸ線に分離する角度アナライザと、吸収像撮影モードが入力された時、角度アナライザを撮影領域外に配置し、位相像撮影モードが入力された時、角度アナライザを撮影領域内に位相像撮影モードに対応する角度で配置するように角度アナライザの配置を変更する配置変更手段と、吸収像撮影モードが入力された時、Ｘ線源から照射された吸収像のＸ線を検出して吸収像の画像データを出力し、位相像撮影モードが入力された時、角度アナライザによって分離された位相像のＸ線を検出して位相像の画像データを出力するＸ線画像検出器とを備える。【選択図】図４
2010172564.tif 000002
【特許請求の範囲】
【請求項１】
Ｘ線源と、
前記Ｘ線源から照射されるＸ線を吸収像のＸ線と位相像のＸ線に分離する角度アナライザと、
吸収像を撮影する吸収像撮影モードを表す撮影モード信号が入力された時、前記角度アナライザを撮影領域外に配置し、位相像を撮影する位相像撮影モードを表す撮影モード信号が入力された時、前記角度アナライザを撮影領域内に位相像撮影モードに対応する角度で配置するように前記角度アナライザの配置を変更する配置変更手段と、
吸収像撮影モードを表す撮影モード信号が入力された時、前記Ｘ線源から照射された吸収像のＸ線を検出して該吸収像の画像データを出力し、位相像撮影モードを表す撮影モード信号が入力された時、前記角度アナライザによって分離された位相像のＸ線を検出して該位相像の画像データを出力するＸ線画像検出器とを備えていることを特徴とするＸ線画像撮影装置。
【請求項２】
前記配置変更手段は、前記Ｘ線の照射方向に対して直交する方向に、位相像撮影モードに対応する角度で配置された前記角度アナライザを移動して該角度アナライザの配置を変更するものであることを特徴とする請求項１に記載のＸ線画像撮影装置。
【請求項３】
前記配置変更手段は、前記Ｘ線の照射方向に対して直交し、水平方向または垂直方向に、位相像撮影モードに対応する角度で配置された前記角度アナライザを移動するものであることを特徴とする請求項２に記載のＸ線画像撮影装置。
【請求項４】
前記配置変更手段は、位相像撮影モードに対応する角度で配置された前記角度アナライザの受光面の延長面の方向に、該角度アナライザを移動して、該角度アナライザの配置を変更するものであることを特徴とする請求項１に記載のＸ線画像撮影装置。
【請求項５】
前記配置変更手段は、位相像撮影モードに対応する角度で配置された前記角度アナライザの辺に対して垂直な方向に、該角度アナライザを移動するものであることを特徴とする請求項４に記載のＸ線画像撮影装置。
【請求項６】
前記配置変更手段は、撮影領域外に配置された前記角度アナライザを、Ｘ線の照射方向に対して直交する方向に移動して、撮影領域外から撮影領域内へ前記角度アナライザの配置を変更し、続いて、該角度アナライザの角度を位相像撮影モードに対応する角度に変更するものであることを特徴とする請求項１に記載のＸ線画像撮影装置。
【請求項７】
前記配置変更手段は、前記Ｘ線の照射方向に対して直交し、水平方向または垂直方向に延びる回転軸を中心として、前記角度アナライザを回転して該角度アナライザの配置を変更するものであり、前記回転軸は、前記角度アナライザの、Ｘ線の受光面の端部ないしＸ線の受光面の延長面上に設定されていることを特徴とする請求項１に記載のＸ線画像撮影装置。
【請求項８】
請求項１〜７のいずれかに記載のＸ線画像撮影装置と、
前記撮影モード信号を出力する制御装置と、
前記Ｘ線画像撮影装置から出力される吸収像の画像データと位相像の画像データに基づいて、所定の画像処理を行うＸ線画像処理装置とを有するＸ線画像撮影システム。
【請求項９】
前記配置変更手段は、前記角度アナライザの角度を微調整する角度微調整手段を有し、
前記制御装置は、前記配置変更手段を制御して、位相像撮影モードに対応する前記角度アナライザの角度をキャリブレーションする機能を有することを特徴とする請求項８に記載のＸ線画像撮影システム。
【請求項１０】
前記制御装置は、前記キャリブレーション時に、前記角度アナライザを撮影領域内に位相像撮影モードに対応する角度で配置するように前記配置変更手段を制御してＸ線のテスト撮影を行い、テスト撮影した位相像において最大コントラストが得られるように、前記角度アナライザの角度を、前記角度微調整手段を制御して微調整することを特徴とする請求項９に記載のＸ線画像撮影システム。
【発明の詳細な説明】
【技術分野】
【０００１】
本発明は、被写体にＸ線を照射してＸ線画像を撮影するＸ線画像撮影装置と、これを制御する制御装置を含むＸ線画像撮影システムに関するものである。
【背景技術】
【０００２】
Ｘ線撮影画像において、従来は、Ｘ線が人体等の被写体を透過する時、被写体の各組織（各部位）の密度に応じて吸収されるＸ線量が異なることを利用して吸収像（吸収コントラスト画像）を作成すること（吸収イメージング）が主流であった。
【０００３】
これに対し、近年では、Ｘ線が被写体を透過する時、被写体の各組織の輪郭部分（組織間の境界部分）、例えば、軟骨と関節液との境界部分において、Ｘ線がわずかに屈折して位相が変化することを利用して位相像（位相コントラスト画像）を作成すること（位相イメージング）が行われるようになってきた。また、吸収像と位相像を組み合わせてＸ線画像を作成することも行われている。
【０００４】
位相像は、被写体の各組織の輪郭部分が強調された画像であるため、吸収像では描画することが困難であった軟部組織、例えば、軟骨、乳房、筋肉、腱、靱帯、血管等の組織も鮮明に描画することができ、医療画像においては、病変部位の診断等への利用が検討されている。
【０００５】
位相像は、被写体の各組織の輪郭部分の情報（輪郭情報）だけではなく、吸収像の情報や皮膚表面の情報等も含む。ここで、吸収像の情報とは、例えば、骨と軟部組織との境界部分等のように、吸収像でも得られる輪郭情報のことである。また、皮膚表面の情報とは、皮膚のしわ（皮膚と空気との境界部分）等のように、軟部組織の輪郭情報のうち、不要な情報のことである。
【０００６】
例えば、位相像に含まれる皮膚表面の情報が軟部組織に重畳されて描画されると、医療画像においては誤診を招く虞がある。そのため、皮膚表面の情報に限らず、例えば、上記医療画像においては、Ｘ線画像から診断に不要な情報を除去して必要な情報だけを抽出することにより、骨部組織や軟部組織の画像について、より正確で鮮明な画像を作成することが望まれる。
【０００７】
また、医療現場における患者負担や設備コストを考慮し、同一の撮影装置で位相像および吸収像を撮影でき、装置の設置スペースが小さく、操作が簡便な撮影装置の開発が望まれる。
【０００８】
ここで、従来、吸収像と位相像の両方を同一の撮影装置で撮影できる放射線画像装置が提案されている（文献１、２、３）。
【０００９】
しかしながら、これらの文献に開示の方法は、Ｘ線を被写体に照射し、被写体と検出器との位置を一定距離はなすことで位相像が強調されることを利用するものである。そのため、シリコン単結晶から作成された透過型角度分析体（角度アナライザ）を使用して位相像を抽出する方法（Ｘ線暗視野法）と比べ、吸収像等が背景照明となり有用な情報が打ち消されること、また、装置の制御が複雑であることなどが懸念される。
【００１０】
【特許文献１】特開２００１−２３８８７１号公報
【特許文献２】特開２００４−１７３８７９号公報
【特許文献３】特願２００６−５１９６２６（ＷＯ２００６／００４１８５）号公報
【発明の開示】
【発明が解決しようとする課題】
【００１１】
本発明の目的は、同一の撮影装置で吸収像撮影と位相像撮影を連続的に行うことができ、従来よりも設置スペースが小さく、操作が簡便で、複雑な制御手段を要しないＸ線画像撮影装置およびＸ線画像撮影システムを提供することにある。
【課題を解決するための手段】
【００１２】
上記目的を達成するために、本発明は、
Ｘ線源と、
前記Ｘ線源から照射されるＸ線を吸収像のＸ線と位相像のＸ線に分離する角度アナライザと、
吸収像を撮影する吸収像撮影モードを表す撮影モード信号が入力された時、前記角度アナライザを撮影領域外に配置し、位相像を撮影する位相像撮影モードを表す撮影モード信号が入力された時、前記角度アナライザを撮影領域内に位相像撮影モードに対応する角度で配置するように前記角度アナライザの配置を変更する配置変更手段と、
吸収像撮影モードを表す撮影モード信号が入力された時、前記Ｘ線源から照射された吸収像のＸ線を検出して該吸収像の画像データを出力し、位相像撮影モードを表す撮影モード信号が入力された時、前記角度アナライザによって分離された位相像のＸ線を検出して該位相像の画像データを出力するＸ線画像検出器とを備えているＸ線画像撮影装置を提供するものである。
【００１３】
ここで、前記配置変更手段は、前記Ｘ線の照射方向に対して直交する方向に、位相像撮影モードに対応する角度で配置された前記角度アナライザを移動して該角度アナライザの配置を変更するものであることが好ましい。
【００１４】
また、前記配置変更手段は、前記Ｘ線の照射方向に対して直交し、水平方向または垂直方向に、位相像撮影モードに対応する角度で配置された前記角度アナライザを移動するものであることが好ましい。
【００１５】
また、前記配置変更手段は、位相像撮影モードに対応する角度で配置された前記角度アナライザの受光面の延長面の方向に、該角度アナライザを移動して、該角度アナライザの配置を変更するものであることが好ましい。
【００１６】
また、前記配置変更手段は、位相像撮影モードに対応する角度で配置された前記角度アナライザの辺に対して垂直な方向に、該角度アナライザを移動するものであることが好ましい。
【００１７】
また、前記配置変更手段は、撮影領域外に配置された前記角度アナライザを、Ｘ線の照射方向に対して直交する方向に移動して、撮影領域外から撮影領域内へ前記角度アナライザの配置を変更し、続いて、該角度アナライザの角度を位相像撮影モードに対応する角度に変更するものであることが好ましい。
【００１８】
また、前記配置変更手段は、前記Ｘ線の照射方向に対して直交し、水平方向または垂直方向に延びる回転軸を中心として、前記角度アナライザを回転して該角度アナライザの配置を変更するものであり、前記回転軸は、前記角度アナライザの、Ｘ線の受光面の端部ないしＸ線の受光面の延長面上に設定されていることが好ましい。
【００１９】
また、本発明は、上記のいずれかに記載のＸ線画像撮影装置と、
前記撮影モード信号を出力する制御装置と、
前記Ｘ線画像撮影装置から出力される吸収像の画像データと位相像の画像データに基づいて、所定の画像処理を行うＸ線画像処理装置とを有するＸ線画像撮影システムを提供するものである。
【００２０】
ここで、前記配置変更手段は、前記角度アナライザの角度を微調整する角度微調整手段を有し、
前記制御装置は、前記配置変更手段を制御して、位相像撮影モードに対応する前記角度アナライザの角度をキャリブレーションする機能を有することが好ましい。
【００２１】
また、前記制御装置は、前記キャリブレーション時に、前記角度アナライザを撮影領域内に位相像撮影モードに対応する角度で配置するように前記配置変更手段を制御してＸ線のテスト撮影を行い、テスト撮影した位相像において最大コントラストが得られるように、前記角度アナライザの角度を、前記角度微調整手段を制御して微調整することが好ましい。
【発明の効果】
【００２２】
本発明では、吸収像撮影と位相像撮影の切換えを、撮影領域内と撮影領域外との間で角度アナライザの配置を変更することにより行う。そのため、本発明によれば、従来よりも、設置スペースが小さく、簡便な操作で撮影を行うことができ、診断の効率化、誤操作防止等の効果が得られる。また、複雑な制御手段を要しないため、装置コスト低下の効果も得られる。
【発明を実施するための最良の形態】
【００２３】
以下に、添付の図面に示す好適実施形態に基づいて、本発明のＸ線画像撮影装置およびＸ線画像撮影システムを詳細に説明する。
【００２４】
図１は、本発明に関わるＸ線画像撮影システムの構成を表す一実施形態を概念的に示したブロック図である。同図に示すＸ線画像撮影システム１０は、Ｘ線撮影から画像出力までの一連の作業を行うシステムであって、人体等の被写体をＸ線撮影するＸ線画像撮影装置１２と、撮影モードの設定を含むシステム全体の動作を制御する制御装置１４と、撮影したＸ線画像に所定の画像処理を施すＸ線画像処理装置１６とによって構成されている。
【００２５】
図２は、図１に示すＸ線画像撮影装置１２の概念図である。同図に示すように、Ｘ線画像撮影装置１２は、Ｘ線源２０と、シリコン単結晶からなる角度アナライザ（角度分析板）２２と、このアナライザ２２の配置を変更する配置変更手段２４と、デジタルＸ線画像検出器２６とによって構成されている。Ｘ線源２０から照射（曝射）されるＸ線の照射方向の下流側にアナライザ２２と配置変更手段２４が配置され、アナライザ２２の下流側に検出器２６が配置されている。
【００２６】
図２では省略しているが、Ｘ線源２０からは、所定帯域の波長のＸ線を含むブロードＸ線から、所定領域の単色平行Ｘ線が発生され、被写体２８に向かって照射される。Ｘ線源２０から照射されたＸ線は、被写体２８が存在しない部分ではアナライザ２２に直接入射され、被写体２８が存在する部分では、被写体２８を透過したＸ線がアナライザ２２に入射される。
【００２７】
アナライザ２２は、例えば、矩形板状のものであり、後述する配置変更手段２４によって撮影領域内に配置されるか、撮影領域外に配置される。アナライザ２２の詳細は、例えば、特開２００３−３２９６１７号公報等に開示されている。
【００２８】
ここで、撮影領域とは、Ｘ線撮影において、検出器２６によりＸ線の画像データとして検出されるＸ線が通過する領域（撮影されるＸ線画像に影響を与える領域）のことである。言い換えると、撮影領域とは、Ｘ線撮影時に、Ｘ線源２０からアナライザ２２ないし検出器２６の受光面に対してＸ線を照射する時にＸ線が通過する領域である。
【００２９】
アナライザ２２は、図２に示すように、撮影領域内に配置された時は、撮影されるＸ線画像（位相像）において最大コントラストが得られるように、その板面（Ｘ線の受光面）が、Ｘ線の照射方向に対し垂直な面に対して一方向に所定の角度で傾斜された状態で配置される。アナライザ２２に入射されたＸ線は、アナライザ２２の内部を通過する時に、シリコン単結晶中の多数の結晶格子面で繰り返し反射され、吸収像のＸ線と位相像のＸ線に分離される。
【００３０】
一方、図３に示すように、アナライザ２２が撮影領域外に配置された時は、Ｘ線源２０から照射されたＸ線がアナライザ２２を通過せずに、検出器２６の受光面に直接入射される。
【００３１】
ここで、吸収像は、被写体２８を透過したＸ線の強度情報に基づいて生成される画像である。一方、位相像は、被写体２８を透過したＸ線の位相情報に基づいて生成される画像である。
【００３２】
配置変更手段２４は、制御装置１４から与えられる撮影モード信号に応じて、アナライザ２２を撮影領域内の所定の位置に配置するか、もしくは、撮影領域外に配置するようにアナライザ２２の配置を変更する。また、配置変更手段２４は、後述するアナライザ２２のキャリブレーション時において、アナライザ２２の角度を微調整（変更）する角度微調整手段２５を備えている。
【００３３】
ここで、図２に示すように、被写体２８が存在しない時に、最大コントラストの位相像のＸ線が検出器２６に入力されるように、アナライザ２２を所定の角度で撮影領域内に配置してＸ線撮影を行う撮影モードを位相像撮影モードと呼ぶ。一方、図３に示すように、アナライザ２２を撮影領域外に配置してＸ線撮影を行う撮影モードを吸収像撮影モードと呼ぶ。
【００３４】
なお、配置変更手段２４は、撮影領域内と撮影領域外との間でアナライザ２２の配置を変更することができれば、その具体的な構成は何ら限定されない。アナライザ２２のような板材の配置を変更させる機構は各種のものが公知であり、本発明においても同様の機能を果たすものが利用できる。
【００３５】
続いて、検出器２６は、アナライザ２２の配置の変更に応じて吸収像のＸ線または位相像のＸ線を検出し、それぞれ、吸収像のデジタル画像データと位相像のデジタル画像データを出力する。検出器２６の一例は、Ｘ線検出用のフラット型パネル（ＦＰＤ）である。検出器２６は、その板面（Ｘ線の受光面）がＸ線の照射方向に対して垂直な方向に配置されている。吸収像撮影モード時には吸収像のＸ線が検出器２６によって検出され、位相像撮影モード時には位相像のＸ線が検出器２６によって検出され、それぞれのデジタル画像データが出力される。
【００３６】
なお、検出器２６は、吸収像のＸ線と位相像のＸ線を受光することができれば、Ｘ線の照射方向に対して所定の角度で傾斜されていてもよい。
【００３７】
Ｘ線画像撮影装置１２は、Ｘ線撮影時に、Ｘ線源２０と撮影領域内に配置された時のアナライザ２２との間の所定位置に位置決めされる被写体２８の方向（すなわち、位相像撮影モードの時のアナライザ２２の方向）に向かってＸ線を照射し、被写体２８のＸ線画像を撮影する。Ｘ線画像の撮影は、吸収像の撮影と位相像の撮影が連続的に行われる（２ショット撮影）。Ｘ線画像撮影装置１２からは、吸収像の撮影時には吸収像のデジタル画像データが出力され、位相像の撮影時には、位相像のデジタル画像データが出力される。
【００３８】
次に、撮影モードの設定機能を含む、システム全体の動作を制御する制御装置１４について説明する。制御装置１４には、予め、吸収像撮影モードでは、アナライザ２２を撮影領域外に配置するための情報が、位相像撮影モードでは、アナライザ２２を所定の角度で撮影領域内に配置するための情報が、それぞれ設定されている。オペレータより、後述するＸ線画像処理装置１６の指示入力部３０を介して撮影モードの情報が入力されると、その撮影モードの情報に対応するアナライザ２２の配置変更の情報が、撮影モード信号として配置変更手段２４に与えられ、アナライザ２２の配置変更が行われる。
【００３９】
また、制御装置１４は、配置変更手段２４を制御して、位相像撮影モードに対応するアナライザ２２の角度をキャリブレーションする機能を有する。制御装置１４は、キャリブレーション時に、アナライザ２２を撮影領域内に位相像撮影モードに対応する角度で配置するように配置変更手段２４を制御してＸ線撮影（テスト撮影）を行い、テスト撮影した位相像において最大コントラストが得られるように、アナライザ２２の角度を、角度微調整手段２５を制御して微調整する。なお、アナライザ２２の角度の微調整は、オペレータの角度入力により行ってもよい。
【００４０】
この他にも、制御装置１４は、Ｘ線画像撮影装置１２の全体的な動作制御、例えば、撮影動作制御等を行い、Ｘ線画像撮影装置１２から取得したＸ線画像（吸収像および位相像）のデジタル画像データを、後述するＸ線画像処理装置１６のＸ線画像処理部３２に供給する機能を有する。
【００４１】
次に、Ｘ線画像処理装置１６について説明する。Ｘ線画像処理装置１６は、図４に示すように、指示入力部３０と、Ｘ線画像処理部３２と、表示部３４と、出力部３６とによって構成される。Ｘ線画像処理装置１６では、位相像および吸収像のデジタル画像データに基づいて画像処理されたＸ線画像が出力される。
【００４２】
指示入力部３０は、撮影モードや画像処理等のオペレータからの指示（情報）の入力を行うものであり、例えば、キーボードやマウス等によって構成される。
【００４３】
画像処理部３２は、指示入力部３０を介してオペレータから入力される指示情報に基づき、Ｘ線画像撮影装置１２により撮影され、制御装置１４を介して供給された位相像と吸収像のデジタル画像データに基づいて、例えば人体の軟部組織等の各組織の輪郭強調処理等を施すものである。画像処理部３２は、例えば、コンピュータと、Ｘ線画像処理等をコンピュータに実行させるためのプログラムによって構成される。
【００４４】
なお、位相像のデジタル画像データと吸収像のデジタル画像データは、制御装置１４を介すことなく、Ｘ線画像撮影装置１２から画像処理部３２に直接供給する構成としてもよい。
【００４５】
また、表示部３４は、撮影されたＸ線画像、撮影モードの現状、その他制御装置の状態等を表示するものであり、例えば、液晶ディスプレイで構成される。
【００４６】
出力部３６は、例えば、撮影されたＸ線画像をプリント出力するサーマルプリンタや、Ｘ線画像のデジタル画像データを保存する記憶装置等を含む。
【００４７】
次に、被写体（例えば、人体）をＸ線撮影する時の動作を説明する。
【００４８】
被写体２８をＸ線撮影する場合、Ｘ線撮影しようとする被写体２８の所定部位が、Ｘ線画像撮影装置１２のＸ線源２０とアナライザ２２との間の所定位置に位置決めされる。また、オペレータにより、指示入力部３０を介して撮影モードの情報が入力される。
【００４９】
例えば、１回目の撮影モードが位相像撮影モードに設定されると、配置変更手段２４によりアナライザ２２が位相像撮影モードに対応する所定の角度で撮影領域内に配置される。その後、撮影指示が与えられ、Ｘ線がＸ線源２０から被写体２８に向かって照射されると、Ｘ線源２０から照射されたＸ線は、被写体２８を透過し、アナライザ２２によって位相像のＸ線と吸収像のＸ線に分離される。分離された位相像のＸ線は、検出器２６で検出され、検出器２６から位相像（のデジタル画像データ）が出力される。
【００５０】
次に、２回目の撮影モードが吸収像撮影モードに設定され、アナライザ２２が配置変更手段２４により撮影領域外に配置される。その後、Ｘ線がＸ線源２０から被写体２８に照射され、吸収像のＸ線が検出器２６で検出され、検出器２６から吸収像（のデジタル画像データ）が出力される。
【００５１】
なお、位相像と吸収像は、どちらを先に撮影してもよいが、位相像の撮影には、アナライザ２２の角度設定に高精度が要求されるため、アナライザ２２の角度変更の容易さを考慮すると位相像を先に撮影することが望ましい。
【００５２】
Ｘ線画像撮影装置１２により撮影されたＸ線画像は、制御装置１４を介してＸ線画像処理部３２に供給される。制御装置１４から供給されたＸ線画像処理部３２では、被写体２８の同一箇所をＸ線撮影したＸ線画像の位相像と吸収像を用いて、指示入力部３０から入力された指示に従って、各組織の輪郭強調処理等を含む、各種の画像処理が行われる。
【００５３】
Ｘ線画像処理部３２による画像処理が終了すると、画像処理後のＸ線画像を表示部３４に表示する。また、必要に応じて、サーマルプリンタで感熱フィルム等の記録媒体にプリントしたり、データベース等の記憶媒体に保存したりする。
【００５４】
Ｘ線画像撮影システム１０は、撮影領域内と撮影領域外との間でアナライザ２２の配置を変更することにより１台のシステムで吸収像の撮影と位相像の撮影を連続的に行うことができる。そのため、従来よりも、設置スペースが小さく、簡便な操作で撮影を行うことができ、誤操作防止等の効果が得られる。また、複雑な制御手段を要しないため、装置コスト削減の効果も得られる。
【００５５】
次に、配置変更手段２４によるアナライザ２２の配置の変更方法について説明する。
【００５６】
図５および図６は、配置変更手段２４によるアナライザ２２の配置を変更する方法を説明する概念図である。アナライザ２２の配置の変更は、図５に示す例の場合、Ｘ線の照射方向に対して直交する方向に、位相像撮影モードに対応する角度で配置されたアナライザ２２を移動して行う。例えば、Ｘ線の照射方向に対して直交し、水平方向または垂直方向に、位相像撮影モードに対応する角度で配置されたアナライザ２２を移動させることが望ましい。
【００５７】
また、配置変更手段２４によるアナライザ２２の配置の変更は、図６に示すように、位相像撮影モードに対応する角度で配置されたアナライザ２２を、そのアナライザ２２の受光面の延長面の方向（受光面の中心から、その面上において放射状に延びる方向）に移動して行ってもよい。例えば、位相像撮影モードに対応する角度で配置された矩形のアナライザ２２の各辺（縁）に対して、垂直な方向（受光面の中心から、その辺（縁）の中点に延びる方向）に移動することが望ましい。
【００５８】
なお、上述した実施例において、配置変更手段２４によるアナライザ２２の配置の変更は、アナライザ２２を移動することにより行っているが、本発明においては、配置変更手段２４がアナライザ２２を回転することにより、撮影領域内または撮影領域外にアナライザ２２の配置を変更してもよい。
【００５９】
図７および図８は、アナライザ２２の配置を回転により変更する方法を説明する概念図であり、図７は上面図、図８は側面図である。配置変更手段２４は、図７に示すように、Ｘ線の照射方向に対して直交し、垂直方向に延びる回転軸を中心として、回転してもよいし、図８に示すように、Ｘ線の照射方向に対して直交し、水平方向に延びる回転軸を中心として回転してもよい。また、回転軸は、アナライザ２２のＸ線の受光面の端部ないしＸ線の受光面の延長面上に設定することもできる。
【００６０】
また、配置変更手段２４は、アナライザ２２を撮影領域内に配置してから、その角度を、位相像撮影モードに対応する角度に変更してもよい。
【００６１】
図９は、受光面が、Ｘ線の照射方向に対して直交する方向に配置されたアナライザ２２の配置を変更する方法を説明する概念図である。配置変更手段２４は、図９に示すように、位相像撮影モード時において、受光面がＸ線の照射方向に対して直交する方向で撮影領域外に配置されたアナライザ２２を、Ｘ線の照射方向に対して直交する方向に移動して、撮影領域外から撮影領域内の所定の位置に配置を変更し、続いて、アナライザ２２の角度を位相像撮影モードに対応する角度に変更する。
【００６２】
吸収像撮影モード時においては、同様に、配置変更手段２４がアナライザ２２の角度をＸ線の照射方向に対して直交する角度に変更し、続いて、Ｘ線の照射方向に対して直交する方向に移動して、アナライザ２２の配置を撮影領域内から撮影領域外の所定の位置に変更する。
【００６３】
なお、撮影領域外におけるアナライザ２２の配置方向および移動方向は、Ｘ線の照射方向に対して直交する方向でなくてもよく、アナライザ２２を撮影領域内へ移動後に所定の配置方向および配置位置に変更してもよい。
【００６４】
なお、位相像と吸収像との間に位置ずれ、倍率（拡大／縮小）、回転、鼓動等による局所的な変形等の歪みが発生している場合、この歪みを補正することが望ましい。
【００６５】
Ｘ線画像処理装置１６において、指示入力部３０、Ｘ線画像処理部３２、表示部３４、および、出力部３６の構成は何ら限定されず、同様の機能を果たす各種構成のものを利用できる。また、表示部３４と出力部３６は必須の構成要素ではなく、必要に応じて適宜設ければよい。
【００６６】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【図面の簡単な説明】
【００６７】
【図１】本発明に関わるＸ線画像撮影システムの構成を表す一実施形態のブロック図である。
【図２】図１に示すＸ線画像撮影装置の構成を表す概念図である。
【図３】図１に示すＸ線画像撮影装置の構成を表す概念図である。
【図４】図１に示すＸ線画像処理装置の構成を表すブロック図である。
【図５】図２に示すアナライザの配置を変更する方法を表す概念図である。
【図６】図２に示すアナライザの配置を変更する方法を表す概念図である。
【図７】図２に示すアナライザの配置を変更する方法を表す概念図である。
【図８】図２に示すアナライザの配置を変更する方法を表す概念図である。
【図９】図２に示すアナライザの配置を変更する方法を表す概念図である。
【符号の説明】
【００６８】
１０  Ｘ線画像撮影システム
１２  Ｘ線画像撮影装置
１４  制御装置
１６  Ｘ線画像処理装置
２０  Ｘ線源
２２  角度アナライザ（角度分析板）
２４  配置変更手段
２５  角度微調整手段
２６  デジタルＸ線画像検出器
２８  被写体
３０  指示入力部
３２  Ｘ線画像処理部
３４  表示部
３６  出力部
【図１】
2010172564.tif 000003
【図２】
2010172564.tif 000004
【図３】
2010172564.tif 000005
【図４】
2010172564.tif 000006
【図５】
2010172564.tif 000007
【図６】
2010172564.tif 000008
【図７】
2010172564.tif 000009
【図８】
2010172564.tif 000010
【図９】
2010172564.tif 000011